(57)【要約】【課題】自動ヴァイオリン族楽器によって、伴奏付のヴァイオリン族楽器音源の優れた音質による再生を可能とする。【解決手段】媒体のヴァイオリン族楽器専用チャンネルにヴァイオリン族楽器の音声を録音し、伴奏専用チャンネルに伴奏音源の音声を録音し、再生装置が両チャンネルの電気音声信号を同期をとってそれぞれ別個に再生して送り出し、ヴァイオリン族楽器専用チャンネルの電気音声信号に応じて振動する圧電振動子の振動でヴァイオリン族楽器の駒を励振してヴァイオリン族楽器の音源を自動演奏し、伴奏チャンネルの電気音声信号に応じて振動するボイスコイルの振動でコーン紙を励振してダイナミックスピーカにより伴奏音楽の音源を発音し、両者による自動合奏を行う。【選択図】図１
2009049656.tif 000002
【特許請求の範囲】
【請求項１】
ヴァイオリン族楽器の音声と伴奏音源の音声を同期をとってそれぞれヴァイオリン族楽器専用チャンネルと伴奏専用チャンネルに録音した媒体と、
録音された両チャンネルの電気音声信号を同期をとってそれぞれ別個に再生して送り出す再生装置と、
ヴァイオリン族楽器専用チャンネルの電気音声信号に応じて振動する圧電振動子の振動でヴァイオリン族楽器の駒を励振することにより演奏する自動ヴァイオリン族楽器と、
伴奏専用チャンネルの電気音声信号に応じて振動するボイスコイルの振動でコーン紙を励振することにより、伴奏音源を再生するダイナミックスピーカと
より成る自動合奏装置。
【請求項２】
ヴァイオリンの音声とチェロの音声を同期をとってそれぞれヴァイオリン専用チャンネルとチェロ専用チャンネルに録音した媒体と、
録音された両チャンネルの電気音声信号を同期をとってそれぞれ別個に再生して送り出す再生装置と、
ヴァイオリン専用チャンネルの電気音声信号に応じて振動する圧電振動子の振動でヴァイオリンの駒を励振することにより自動演奏する自動ヴァイオリンと、
チェロ専用チャンネルの電気音声信号に応じて振動する圧電振動子の振動でチェロの駒を励振することにより自動演奏する自動チェロと
より成る自動合奏装置。
【請求項３】
前記自動ヴァイオリン族楽器あるいは自動ヴァイオリンあるいは自動チェロは、駒に取付けた圧電振動子により駒を励振して楽器を自動演奏する構成であり、圧電振動子と駒は棒状構造体によって連結され、圧電振動子の圧電振動板は辺縁部に音質調整用の質量部材を備え、棒状構造体は、圧電振動板の中心部を串刺しに貫通し、その開放端に反動吸収弾性体を介して圧電振動板を固定し、固定端を駒上縁部に固着した構成であることを特徴とする請求項１あるいは２記載の自動合奏装置。
【請求項４】
前記自動ヴァイオリン族楽器あるいは自動ヴァイオリンあるいは自動チェロは、駒に取付けた２個の圧電振動子により駒を励振して楽器を自動演奏する構成であり、２個の圧電振動子と駒は棒状構造体によって連結され、２個の圧電振動子の圧電振動板はそれぞれの辺縁部に音質調整用の質量部材を備え、棒状構造体は、２個の圧電振動板の中心部を串刺しに貫通し、その開放端に反動吸収弾性体を介して第１の圧電振動板を固定し、第１の圧電振動板との間に反動吸収弾性体を介在させて第２の圧電振動板を固定し、固定端を駒上縁部に固着した構成であることを特徴とする請求項１あるいは２記載の自動合奏装置。
【発明の詳細な説明】
【技術分野】
【０００１】
本発明は、伴奏を伴うヴァイオリン曲音源の電気音声信号によってヴァイオリンを自動演奏し、同時にスピーカが伴奏音楽を発音することによって、自動ヴァイオリンとスピーカの自動合奏を行う技術に関するものである。
【背景技術】
【０００２】
本出願人はすでに、ステレオ音声信号に応じて振動する２個の圧電振動板をヴァイオリンの駒上縁部に固定することにより、ステレオ音源による演奏を行う自動ヴァイオリン技術を出願している（特許文献１）。
この技術によって、独奏ヴァイオリン曲の再生がヴァイオリン自体の発音によって行うことができるようになった。しかしながら、多くのヴァイオリン曲の音源は、ピアノやオーケストラなどの伴奏を伴うものであり、これらの音源の再生を自動ヴァイオリンのみで行う場合には、次のような課題があった。
（１）音域の課題：ヴァイオリンの音域は、Ｇ線開放絃（ト音）以上に対応しており、自動ヴァイオリンはこれより低音域の伴奏音を適正に発音できない。
（２）音色の課題：自動ヴァイオリンはヴァイオリンを発音体とするので、ピアノなどその他の楽器の音色を発することができない。
（３）音量の課題：ヴァイオリンの音量には限界があり、ピアノやオーケストラの音量に対応することができない。
【特許文献１】特願２００６−２０３９９８
【発明の開示】
【発明が解決しようとする課題】
【０００３】
解決しようとする問題点は、自動ヴァイオリンが伴奏を伴う音源の忠実な再生ができない点である。
【課題を解決するための手段】
【０００４】
上記課題を解決するために、本発明の請求項１の自動合奏装置は、ヴァイオリン族楽器の音声と伴奏音源の音声を同期をとってそれぞれヴァイオリン族楽器専用チャンネルと伴奏専用チャンネルに録音した媒体と、録音された両チャンネルの電気音声信号を同期をとってそれぞれ別個に再生して送り出す再生装置と、ヴァイオリン族楽器専用チャンネルの電気音声信号に応じて振動する圧電振動子の振動でヴァイオリン族楽器の駒を励振することにより演奏する自動ヴァイオリン族楽器と、伴奏専用チャンネルの電気音声信号に応じて振動するボイスコイルの振動でコーン紙を励振することにより、伴奏音源を再生するダイナミックスピーカとより成る。
また上記課題を解決するために、本発明の請求項２の自動合奏装置は、ヴァイオリンの音声とチェロの音声を同期をとってそれぞれヴァイオリン専用チャンネルとチェロ専用チャンネルに録音した媒体と、録音された両チャンネルの電気音声信号を同期をとってそれぞれ別個に再生して送り出す再生装置と、ヴァイオリン専用チャンネルの電気音声信号に応じて振動する圧電振動子の振動でヴァイオリンの駒を励振することにより自動演奏する自動ヴァイオリンと、チェロ専用チャンネルの電気音声信号に応じて振動する圧電振動子の振動でチェロの駒を励振することにより自動演奏する自動チェロとより成る。
また上記課題を解決するために、本発明の請求項３の自動合奏装置は、請求項１あるいは２記載の自動合奏装置において、前記自動ヴァイオリン族楽器あるいは自動ヴァイオリンあるいは自動チェロが、駒に取付けた圧電振動子により駒を励振して楽器を自動演奏する構成であり、圧電振動子と駒は棒状構造体によって連結され、圧電振動子の圧電振動板は辺縁部に音質調整用の質量部材を備え、棒状構造体は、圧電振動板の中心部を串刺しに貫通し、その開放端に反動吸収弾性体を介して圧電振動板を固定し、固定端を駒上縁部に固着した構成であることを特徴としている。
また上記課題を解決するために、本発明の請求項４の自動合奏装置は、請求項１あるいは２記載の自動合奏装置において、前記自動ヴァイオリン族楽器あるいは自動ヴァイオリンあるいは自動チェロが、駒に取付けた２個の圧電振動子により駒を励振して楽器を自動演奏する構成であり、２個の圧電振動子と駒は棒状構造体によって連結され、２個の圧電振動子の圧電振動板はそれぞれの辺縁部に音質調整用の質量部材を備え、棒状構造体は、２個の圧電振動板の中心部を串刺しに貫通し、その開放端に反動吸収弾性体を介して第１の圧電振動板を固定し、第１の圧電振動板との間に反動吸収弾性体を介在させて第２の圧電振動板を固定し、固定端を駒上縁部に固着した構成であることを特徴としている。
【発明の効果】
【０００５】
本発明の自動合奏装置は、伴奏を伴うヴァイオリン曲音源を、自動ヴァイオリンによる再生と、スピーカによる再生とを同時に行うので、数多い伴奏付ヴァイオリン曲を忠実に再生できるという利点がある。
【発明を実施するための最良の形態】
【０００６】
伴奏付ヴァイオリン曲の忠実な再生という目的を、自動ヴァイオリンとスピーカの構成でヴァイオリン音源の忠実な再生と伴奏音源の忠実な再生によって実現した。
【実施例１】
【０００７】
図１は、本発明になる自動合奏装置の第１実施例の構成を説明する図である。この図において、１は再生装置であって、１−１はヴァイオリン族楽器専用チャンネルにヴァイオリン族楽器の音声が録音され、又伴奏専用チャンネルに伴奏楽器の音声が録音された媒体である。両チャンネルは同期装置により同期をとって録音したものであるので、再生装置１は、両チャンネルの同期をとって再生する。２は電気音声信号の増幅装置であって、２−１はヴァイオリン族楽器専用チャンネルの増幅装置であり、２−２は伴奏専用チャンネルの増幅装置である。３は自動ヴァイオリン族楽器であって、３−１はヴァイオリン族楽器の駒に取付けられた圧電振動子であり、３−２はヴァイオリン族楽器である。４はダイナミックスピーカである。
【０００８】
本実施例においては、録音されたヴァイオリン族楽器専用チャンネルの電気音声信号を専用増幅装置によって増幅し、圧電振動子の振動によってヴァイオリン族楽器の駒を励振してヴァイオリン族楽器を自動演奏する。同時に、録音された伴奏専用チャンネルの電気音声信号を専用増幅装置によって増幅し、ボイスコイルの振動によってコーン紙を励振してダイナミックスピーカが伴奏楽器の音声を発音するので、ピアノやオーケストラの伴奏を再生しながらヴァイオリン族楽器の自動演奏を行うことができる。
【０００９】
圧電振動子を駒に取付けることによってヴァイオリン族楽器を自動演奏する構成については、出願人が前記特許文献１において述べている。この構成において、伴奏楽器の音声もヴァイオリン族楽器が再生することは可能であるが、その音質は当然ヴァイオリン族楽器の音質となり、いささか奇異な音質になり、音程、音量の点でも不満足であった。本実施例では、伴奏楽器の音声をヴァイオリン族楽器の音声とは独立の専用チャネルに録音し、ダイナミックスピーカによって再生するので、本来の音質を有する伴奏楽器の伴奏と、ヴァイオリン族楽器の自動演奏を楽しむことができるようになった。
【実施例２】
【００１０】
図２は、本発明になる自動合奏装置の第２実施例の構成を説明する図である。この図において、１は再生装置であって、１−１はヴァイオリン専用チャンネルにヴァイオリンの音声が録音され、又チェロ専用チャンネルにチェロの音声が録音された媒体である。両チャンネルは同期装置により同期をとって録音したものであるので、再生装置１は、両チャンネルの同期をとって再生する。２は電気音声信号の増幅器であって、２−１はヴァイオリン専用チャンネルの増幅器であり、２−２はチェロ専用チャンネルの増幅器である。３は自動ヴァイオリンであって、３−１はヴァイオリンの駒に取付けられた圧電振動子であり、３−２はヴァイオリンである。４は自動チェロであって、４−１はチェロの駒に取付けられた圧電振動子であり、４−２はチェロである。
【００１１】
本実施例においては、録音されたヴァイオリン専用チャンネルの電気音声信号を専用増幅器によって増幅し、圧電振動子の振動によってヴァイオリンの駒を励振してヴァイオリンを自動演奏する。同時に、録音されたチェロ専用チャンネルの電気音声信号を専用増幅器によって増幅し、圧電振動子の振動によってチェロの駒を励振してチェロを自動演奏するので、ヴァイオリンとチェロの自動合奏を行うことができる。
【００１２】
圧電振動子を駒に取付けることによってヴァイオリン族楽器を自動演奏する構成については、出願人が前記特許文献１において述べている。この構成において、チェロの音声もヴァイオリンが再生することは可能であるが、その音程と音量と音質は当然ヴァイオリンの音程と音量と音質に限定され、いささか無理を生じていた。本実施例では、チェロの音声をヴァイオリンの音声とは独立の専用チャネルに録音し、チェロによって自動演奏するので、ヴァイオリンとチェロの合奏音源再生を、それぞれの音程と音量と音質を備えた自動演奏を楽しむことができるようになった。
【００１３】
なお、媒体に多チャンネルを用意して録音し、それぞれのチャンネルに対応して自動ヴァイオリン族楽器を以上述べた方法で演奏すれば、弦楽四重奏曲、弦楽五重奏曲、弦楽六重奏曲、弦楽八重奏曲などの自動演奏が可能であることは、言うまでもない。
【実施例３】
【００１４】
次に、本発明の第３実施例について説明する。第３実施例自動合奏装置の全体構成は第１実施例と同様であって、図１の自動ヴァイオリン族楽器３のみが異なるため、全体構成の説明を省略し、本実施例の自動ヴァイオリン族楽器について図３を参照して説明する。
図３のＡは本実施例自動ヴァイオリン族楽器の全体断面図、Ｂはその振動部と構造体の側面図である。１は振動子、２は取付け部、３は駒部、そして４は楽器胴部である。振動子１は圧電振動子であって、１−１は圧電振動子の振動板、１−２は反動吸収弾性体、１−３は反動吸収弾性体を介して圧電振動子の振動板を貫通固定する棒状構造体２−１（後述する）の開放端に固定するビス、１−４は保護カバー、１−５は振動板の外枠、１−６は振動板の周縁に取付けた音質調整用質量部材、１−７は電気音声信号伝導ケーブルである。
【００１５】
取付け部２において、２−１は振動子１を駒に固定し、振動子１の機械振動を駒に伝達する棒状構造体、２−２はクリップ部の押さえ具２−３とクリップ部の台具２−４の間に駒上縁部３−７を挟んで締めつけるビス、２−５は棒状構造体２−１をクリップ部の台具２−４に固定するビスである。又駒部３において、３−１ないし３−４は絃であって、ヴァイオリンの場合であれば順に、Ｅ絃、Ａ絃、Ｅ絃、Ｇ絃である。３−５および３−６はそれぞれ駒の脚部である。更に楽器胴部４において、４−１は表板、４−２は側板、４−３は裏板、４−４はｆ孔、４−５は魂柱、４−６は力木である。
【００１６】
以上の構成により、ヴァイオリン族楽器の電気音声信号に応じて振動子１の圧電振動板１−１が振動し、この振動が棒状構造体２−１を通じて駒を励振し、駒の振動が脚部３−５、３−６を介して楽器の表板と、魂柱を介して裏板に伝達され、楽器が「鳴る」のである。
【００１７】
ここで、反動吸収弾性体１−３の効果について説明する。図３から理解されるように、圧電振動子の振動板１−１が振動すると、振動は棒状構造体２−１の上下方向に同時に伝達される。下方向に伝達された振動は、下端に固定した駒を励振し、その振動エネルギーが楽器を鳴らすが、駒は楽器胴部に固定されているので、反作用として振動エネルギーの一部は棒状構造体２−１を上方へ逆行する。又振動板１−１の振動エネルギーは、棒状構造体２−１の上方向にも直接伝達される。これらの逆行エネルギーによって、振動子１は棒状構造体２−１の開放端から飛びだそうとするので、これを押えるために固定ビス１−３で振動板１−１を固定している。この上行振動エネルギーで固定ビス１−３と振動板１−１は激しくぶつかり合うために、棒状構造体２−１はその衝突振動をも駒に伝達し、それによって楽器からは電気音声信号には存在しなかったアーティファクト雑音が発せられる。反動吸収弾性体１−３はこの衝突を緩和して雑音の発生を防ぐ要素として不可欠であり、振動板１−１と固定ビス１−３の間に介在させている。
【００１８】
次に、振動板の周縁に取付けた音質調整用質量部材１−６について説明する。上述のように、振動板１−１は自ら振動して棒状構造体２−１を通じて振動を駒に伝達するが、その振動は逆向きとなって返り、振動板１−１自体をも振動させようとする。この逆向きエネルギーは振動板１−１を振動させることによって、空中に飛散する。このとき、下方へのエネルギーと上方へのエネルギーの比率は、振動板１−１の質量に依存して変化する。空中に飛散したエネルギーは、当然楽器を鳴らすことに貢献しない無駄エネルギーであり、これを可能な限り減少させることが、楽器を有効に鳴らすための必要条件である。そこで、本発明においては、振動板１−１周縁に質量部材１−６を取付け、エネルギーの放散を防いでいる。この放散エネルギーは、特に長波長の低音において著しいために、質量部材１−６を低音強化のための音質調整用部材と称しているのである。
【実施例４】
【００１９】
次に、本発明の第４実施例について説明する。第４実施例自動合奏装置の全体構成は第１実施例と同様であって、図１の自動ヴァイオリン族楽器３のみが異なるため、全体構成の説明を省略し、本実施例の自動ヴァイオリン族楽器について図４を参照して説明する。
本実施例の自動ヴァイオリン族楽器構成は、特にチェロのように、ヴァイオリンよりも大きな振動エネルギーを必要とする楽器の自動演奏において必要である。本実施例では、複数の振動子を連結することによって、大きな振動エネルギーを実現している。図４は、そのために２個の振動子を連結した実施例を示している。
【００２０】
図４において、１は２個の圧電振動子、２は取付け部、３は駒部である。１−１は圧電振動子１の振動板、１−２は圧電振動子２の振動板、１−３は反動吸収弾性体を介して圧電振動子の振動板を貫通固定する棒状構造体２−１の開放端に固定するビス、１−４は圧電振動子１用の反動吸収弾性体、１−５は圧電振動子２用の反動吸収弾性体、１−６は振動板の外枠、１−７は振動板の周縁に取付けた音質調整用質量部材、１−８は圧電振動子１への電気音声信号伝導ケーブル、１−９は圧電振動子２への電気音声信号伝導ケーブル、１−１０は保護カバーである。
【００２１】
又図４の取付け部２において、２−１は振動子１を駒に固定し、２個の振動子の機械振動を駒に伝達する棒状構造体、２−２はクリップ部の押さえ具２−３とクリップ部の台具２−４の間に駒上縁部３−１を挟んで締めつけるビス、２−５は棒状構造体２−１をクリップ部の台具２−４に固定するビスである。
【００２２】
この実施例においては、圧電振動子１と圧電振動子２へそれぞれの電気音声信号伝導ケーブル１−８と１−９を介して２個のモノラル音源あるいはステレオ音源の左右信号を誘導することによって、２個の振動子を振動させ、倍加した振動エネルギーを棒状構造体２−１を介して駒に伝達するので、チェロのような大型の弦楽器において、重低音を自動演奏することができる。この場合、実施例３において説明したように、振動板の周縁に取付けた音質調整用質量部材１−７は、楽器における重低音の発音に大きな効果を発揮するのである。
【産業上の利用可能性】
【００２３】
ヴァイオリン族楽器専用チャンネルにヴァイオリン族楽器の音声を録音し、伴奏専用チャンネルに伴奏音源の音声を録音した媒体からの電気音声信号を再生増幅して、ヴァイオリン族楽器専用チャンネルの電気音声信号に応じて圧電振動子の振動でヴァイオリン族楽器の駒を励振してヴァイオリン族楽器の音源を自動演奏し、伴奏専用チャンネルの電気音声信号に応じて振動するボイスコイルの振動でコーン紙を励振して伴奏音楽の音源をダイナミックスピーカで再生することによって、伴奏付のヴァイオリン族楽器音源の優れた自動合奏に適用できる。
【図面の簡単な説明】
【００２４】
【図１】自動合奏装置の構成を示した説明図である。（実施例１）
【図２】自動合奏装置の構成を示した説明図である。（実施例２）
【図３】自動ヴァイオリン族楽器の構成及び振動部と構造体の構成を示した説明図である。（実施例３）
【図４】自動ヴァイオリン族楽器の振動部と構造体の構成を示した説明図である。（実施例４）
【符号の説明】
【００２５】
１    再生装置
２    増幅装置
３    自動ヴァイオリン族楽器
４    ダイナミックスピーカ
【図１】
2009049656.tif 000003
【図２】
2009049656.tif 000004
【図３】
2009049656.tif 000005
【図４】
2009049656.tif 000006